(57)【特許請求の範囲】
【請求項１】
盛土の壁面に設けられる壁体と地山との間に硬質ポリウレタンフォームの発泡充填により接着一体化した軽量盛土を構築するに際し、前記壁体の内側面と前記硬質ポリウレタンフォームとの接着を防止する縁切り材を設け、この縁切り材内側と地山との間に第１の硬質ポリウレタンフォームを発泡充填したのち、この第１の硬質ポリウレタンフォームの１次収縮によって形成される収縮隙間を含む隙間に第２の硬質ポリウレタンフォームを発泡充填して前記第１の硬質ポリウレタンフォームと前記壁体の内側面とを接着一体化するようにしたことを特徴とする軽量盛土の施工方法。
【請求項２】
前記縁切り材の地山側表面に前記第１の硬質ポリウレタンフォームの接着を防止する離型用部材を設け、前記第１の硬質ポリウレタンフォームの１次収縮後に当該縁切り材を取り除いて前記第２の硬質ポリウレタンフォームを発泡充填するようにしたことを特徴とする請求項１記載の軽量盛土の施工方法。
【請求項３】
前記第１の硬質ポリウレタンフォームの１次収縮量が、前記第２の硬質ポリウレタンフォームを発泡充填可能な隙間と同等であれば、前記縁切り材を埋設したまま前記第２の硬質ポリウレタンフォームを発泡充填するようにしたことを特徴とする請求項１記載の軽量盛土の施工方法。
【請求項４】
前記壁体を壁材とこれを支持する支柱とで構成し、この壁材の内側面および／または支柱の内側面に前記縁切り材を設けたことを特徴とする請求項１記載の軽量盛土の施工方法。
【発明の詳細な説明】
【０００１】
【発明の属する技術分野】
この発明は、軽量盛土の施工方法に関し、道路などの拡幅に必要な盛土を硬質ポリウレタンフォームを現場で発泡させて構築する場合に硬質ポリウレタンフォームの１次収縮の影響を無くすことができるようにしたものである。
【０００２】
【従来の技術】
従来、道路の拡幅や急傾斜地への道路の建設などを行う場合には、土を盛り上げる盛土が行われていたが、盛土の荷重軽減や土圧軽減を図るために、盛土材として発泡ポリスチレンブロックを積み重ねる工法や現場で硬質ポリウレタンフォームを発泡する軽量盛土工法が提案されており、土やコンクリートを用いる場合の１／５０〜１／２００に軽量化することができ、特に軟弱地盤上や急傾斜地の盛土として利用されている。
【０００３】
このような軽量盛土工法のうち、現場発泡の硬質ポリウレタンフォームを盛土材とする場合には、接着性に優れるとともに、現場で発泡させるため地形に対する形状対応性や液状材料の輸送だけで済むことから経済性にも優れるという特徴がある。
【０００４】
通常、この現場発泡の硬質ポリウレタンフォームで軽量盛土を構築する場合には、盛土の壁面となる位置に壁体を設け、この壁体と地山との間に現場で硬質ポリウレタンフォームを、１回に数十ｍｍ程度の仕上がり発泡厚さになるように吹き付けて層状に発泡し、これを繰り返して所定高さまで発泡成形するようにしており、壁体は重量構造物に対応した基礎を構築した後、この基礎上に支柱としてのＨ型鋼、Ｃ型鋼、Ｌ型鋼等の鋼材を立設し、この支柱に壁材としての厚さ５０ｍｍ程度のＰＣ板や押出成型セメント板等を取り付けて構成されている。
【０００５】
このような盛土の壁面を形成する位置に壁体を設置するために重量構造物に対応した基礎工事を行うと、多くの工期と費用を要することから、最近では、基礎を簡易で軽量な構造とすることが行われている。
【０００６】
【発明が解決しようとする課題】
ところが、基礎を簡易で軽量な構造にした場合には、壁体の壁材や支柱に接着した硬質ポリウレタンフォームの収縮によって壁体が変形したり、傾いてしまうという問題がある。
【０００７】
一般に、硬質ポリウレタンフォームが発泡・硬化・熟成する過程において、フォームの内部温度が最高１５０℃程度まで達し、その後、時間の経過とともに徐々に雰囲気温度まで低下する。一方、硬質ポリウレタンフォーム自体の線膨張係数が５×１０-5／Ｋであることから、温度変化によりフォームに収縮（以下、この収縮を１次収縮という）が起こり、例えば長さ１０ｍのフォームで内部最高温度が１５０℃まで達し、その後２５℃まで低下した場合には約１００ｍｍの収縮が起こることになる。
【０００８】
このため壁体の支柱がＨ型鋼等で比較的強固とされ、壁材が軽量なものとしてある場合には、壁体と一体化したフォームの１次収縮により、壁材が引っ張られて変形する恐れがあり、また、支柱もＬ型鋼などで比較的軽量構造とされた場合には、同様に壁体の支柱および壁材と一体化したフォームの１次収縮によって支柱および壁材が共に変形して傾いてしまうという問題がある。
【０００９】
そこで、壁体の内側面に硬質ポリウレタンフォームが接着しないように離型剤を塗布することが考えられるが、硬質ポリウレタンフォームの１次収縮によって壁体との間に収縮隙間が生じ、この隙間に水がたまったり、硬質ポリウレタンフォームと壁体を接着して一体化できないという問題が生じる。
【００１０】
この発明は、かかる従来技術の問題点に鑑みてなされたもので、現場で硬質ポリウレタンフォームを発泡充填して軽量盛土を構築する場合に、壁体の構造にかかわらず、壁体の変形や倒れの発生を防止することができる軽量盛土の施工方法を提供しようとするものである。
【００１１】
【課題を解決するための手段】
上記従来技術が有する課題を解決するため、この発明の請求項１記載の軽量盛土の施工方法は、盛土の壁面に設けられる壁体と地山との間に硬質ポリウレタンフォームの発泡充填により接着一体化した軽量盛土を構築するに際し、前記壁体の内側面と前記硬質ポリウレタンフォームとの接着を防止する縁切り材を設け、この縁切り材内側と地山との間に第１の硬質ポリウレタンフォームを発泡充填したのち、この第１の硬質ポリウレタンフォームの１次収縮によって形成される収縮隙間を含む隙間に第２の硬質ポリウレタンフォームを発泡充填して前記第１の硬質ポリウレタンフォームと前記壁体の内側面とを接着一体化するようにしたことを特徴とするものである。
【００１２】
この軽量盛土の施工方法によれば、壁体の内側面と硬質ポリウレタンフォームとの接着を防止する縁切り材を設け、この縁切り材内側と地山との間に第１の硬質ポリウレタンフォームを発泡充填したのち、この第１の硬質ポリウレタンフォームの１次収縮によって形成される収縮隙間を含む隙間に第２の硬質ポリウレタンフォームを発泡充填して前記第１の硬質ポリウレタンフォームと前記壁体の内側面とを接着一体化するようにしており、硬質ポリウレタンフォームが接着しない縁切り材を壁体の内側面に接して設けたり、壁体の内側面の近くに設けて体積の大きい（壁体に対する引っ張り方向の長さの長い）第１の硬質ポリウレタンフォームの発泡充填を行うことで１次収縮の影響が壁体に及ばないようにでき、１次収縮によって形成された収縮隙間、あるいはこの収縮隙間に縁切り材を取り除くことで形成された隙間を加えた隙間に、体積の極小さい（壁体に対する引っ張り方向の長さの極短い）第２の硬質ポリウレタンフォームを発泡充填して硬質ポリウレタンフォーム全体と壁体を接着一体化して水の浸入や強度低下などの問題をなくすようにしている。
【００１３】
また、この発明の請求項２記載の軽量盛土の施工方法は、請求項１記載の構成に加え、前記縁切り材の地山側表面に前記第１の硬質ポリウレタンフォームの接着を防止する離型用部材を設け、前記第１の硬質ポリウレタンフォームの１次収縮後に当該縁切り材を取り除いて前記第２の硬質ポリウレタンフォームを発泡充填するようにしたことを特徴とするものである。
【００１４】
この軽量盛土の施工方法によれば、縁切り材の地山側表面に前記第１の硬質ポリウレタンフォームの接着を防止する離型用部材を設け、前記第１の硬質ポリウレタンフォームの１次収縮後に当該縁切り材を取り除いて前記第２の硬質ポリウレタンフォームを発泡充填するようにしており、第１の硬質ポリウレタンフォームの１次収縮分と取り除いた縁切り材の厚さ分とで第２の硬質ポリウレタンフォームを発泡充填するのに必要な隙間を十分確保して壁体と硬質ポリウレタンフォームとを一層確実に接着一体化できるようにしている。
【００１５】
さらに、この発明の請求項３記載の軽量盛土の施工方法は、請求項１記載の構成に加え、前記第１の硬質ポリウレタンフォームの１次収縮隙間が、前記第２の硬質ポリウレタンフォームを発泡充填可能な前記隙間と同等であれば、前記縁切り材を埋設したまま前記第２の硬質ポリウレタンフォームを発泡充填するようにしたことを特徴とするものである。
【００１６】
この軽量盛土の施工方法によれば、第１の硬質ポリウレタンフォームの１次収縮隙間の収縮量が、第２の硬質ポリウレタンフォームの発泡充填可能な隙間と同等であれば、前記縁切り材を埋設したまま第２の硬質ポリウレタンフォームを発泡充填するようにしており、第１の硬質ポリウレタンフォームの体積が大きい場合（壁体に対する引っ張り方向の長さの長い場合）には、１次収縮量も大きく、これによって形成される収縮隙間だけに第２の硬質ポリウレタンフォームを直接発泡充填することで、壁体と硬質ポリウレタンフォームとを確実に接着一体化でき、縁切り材を取り除かずに埋設したままとして一層容易に施工できるようにしている。
【００１７】
また、この発明の請求項４記載の軽量盛土の施工方法は、請求項１記載の構成に加え、前記壁体を壁材とこれを支持する支柱とで構成し、この壁材の内側面および／または支柱の内側面に前記縁切り材を設けたことを特徴とするものである。
【００１８】
この軽量盛土の施工方法によれば、前記壁体を壁材とこれを支持する支柱とで構成し、この壁材の内側面および／または支柱の内側面に前記縁切り材を設けるようにしており、壁体が支柱とその外側の壁材で構成される場合には、両方の内側または支柱間に横架する（掛け渡す）ようにして内側に、壁体が支柱とその内側の壁材で構成される場合には、壁材の内側に、それぞれ縁切り材を設ければ、壁体を構成する壁材と支柱のいずれも硬質ポリウレタンフォームの１次収縮によって引っ張られることがなく、施工できるようになる。
【００１９】
【発明の実施の形態】
以下、この発明の軽量盛土の施工方法の一実施の形態について図面に基づき詳細に説明する。
図１および図２は、この発明の軽量盛土の施工方法の一実施の形態にかかり、図１は前半の３工程の説明図、図２は後半の３工程の説明図である。
【００２０】
この軽量盛土の施工方法では、例えば地山１１の外側に道路を拡幅する場合には、地山１１の表面（傾斜面）とこれに続く軽量盛土を構築する地盤１２を掘削するなどで基礎工事を行い、図１（ａ）に示すように、拡幅すべき道路の幅に応じた間隔を地山１１との間にあけて軽量盛土の壁面を形成する壁体１３を立設する。
【００２１】
この壁体１３は拡幅すべき道路に必要な高さに構築され、例えば支柱１４としてＨ型鋼、Ｃ型鋼、Ｌ型鋼等の鋼材を用い、これら支柱１４の外側に壁材１５としてＰＣ板や軽量押出成形セメント板等を取り付けて構築され、従来の重量構造物に対する大掛かりな基礎とこれに立設される強固な壁体に比べ、簡易で軽量な壁体１３となっている。そして、この壁体１３と地山１１との間の地盤１２上には、排水層１６が設けられ、例えば合成樹脂繊維をへちま状にした排水シートを一定間隔で敷設したり、不織布や孔の開いたホースと砂利等を敷設したり、これらを組み合わせて敷設して構築される。なお、壁体１３を支柱１４の内側に壁材１５を取り付けて構成するようにすることもできる。
【００２２】
この後、壁体１３の内側に壁体１３の内側面と軽量盛土となる硬質ポリウレタンフォームとが接着しない縁切り材１７が設置される。
【００２３】
例えば、壁体１３を、支柱１４の外側に壁材１５を配置して取付けた図示例の場合には、支柱１４及び壁材１５の内側に、あるいは支柱１４間に横架して（掛け渡して）縁切り材１７が取付けられ、支柱１４の内側に壁材１５を配置した場合には、壁材１５の内側に縁切り材１７が取付けられる。
【００２４】
この縁切り材１７の高さは、軽量盛土とする現場発泡の硬質ポリウレタンフォームの１日分の発泡充填厚さに対応するように設置され、１日分の発泡層の厚さと同等乃至それ以上とし、好ましくは現場での吹き付け後の発泡により膨らんでも乗り越えないように余裕のある高さに設置し、例えば発泡層の厚さの１．０〜１．５倍の高さとする。
【００２５】
この硬質ポリウレタンフォームを、壁体１３を構成する壁材１５および支柱１４、あるいは壁材１５に、接着させない縁切り材１７としては、その後現場で発泡充填される第１の硬質ポリウレタンフォーム１８を１次収縮させた後、縁切り材１７を取り除くか、そのままにして軽量盛土に埋設するかによって異なる構成のものが使用され、例えば硬質ポリウレタンフォームのボードや合板、またはダンボール等に離型用部材としての離型用シートが張り付けられたもの、あるいは離型用部材としての離型用シートだけのもの、さらには硬質ポリウレタンフォームのボードや合板、あるいはダンボール等だけのものが用いられる。
【００２６】
また、縁切り材１７として硬質ポリウレタンフォームに離型用シートあるいは接着用シートが貼られたものを用いる場合、現場で作製することができ、例えばこれらのシート状物に軽量盛土に用いる硬質ポリウレタンフォームを現場で発泡して積層することによって簡単に成形でき、輸送や保管なども容易で非常に都合が良い。
【００２７】
このようにして得られる縁切り材１７は、硬質ポリウレタンフォームの厚さを支柱１４間に横架できる程度の剛性を有する厚さまですれば、壁体１３と完全に縁を切る材料となる。
【００２８】
離型用シートとしては、ポリオレフィンシートや離型紙等が使用でき、接着用シートとしては、ポリオレフィンシートにコロナ処理やプライマー処理したもの、クラフト紙や炭酸カルシウム紙等の紙類シート等が使用できる。もちろん幾種かのシートを積層したものであっても良い。
【００２９】
使用する縁切り材１７は、壁体１３と地山１１との間隔によって現場で発泡充填する第１の硬質ポリウレタンフォーム１８の体積（壁体に対する引っ張り方向の長さ）が異なり、これによって１次収縮量が変化することから、１次収縮量が次の第２の硬質ポリウレタンフォーム１９を発泡充填するのに必要な隙間が確保できるか否かによって縁切り材１７を取り除いて隙間を拡大する必要があるかどうかを定めるようにする。
【００３０】
なお、第２の硬質ポリウレタンフォームの発泡充填に必要な隙間は、１０〜３００ｍｍであり、好ましくは３０〜１５０ｍｍである。隙間が１０ｍｍより小さいと発泡充填が困難となり、３００ｍｍより大きいと発泡充填する第２の硬質ポリウレタンフォーム自体の１次収縮によって壁体１３の支柱１４や壁材１５の変形や倒れなどが生じる恐れがある。
【００３１】
したがって、第１の硬質ポリウレタンフォーム１８の１次収縮後に取り除く縁切り材１７の場合には、硬質ポリウレタンフォームのボードや合板、またはダンボール等に離型用部材として離型用シートが張り付けられたものや離型用部材として離型剤を塗布したもの、あるいは離型用部材としての離型用シートだけのものを使用し、取り除く縁切り材１７の厚さと１次収縮による収縮隙間を加えた隙間が上記の範囲となるようにする。
【００３２】
この場合の離型用部材としての離型用シートは、硬質ポリウレタンフォームが接着しないものであれば良く、ポリエチレンシート、ポリプロピレンシート、フッ素系シートなどを用いることができ、破れない丈夫なものが好ましく、厚さは０．１ｍｍ以上、好ましくは０．２ｍｍ以上のものが用いられる。
【００３３】
ここでは、縁切り材１７として硬質ポリウレタンフォームや合板等のある程度剛性のあるボードで地山１１側の表面に離型用部材として離型用シートであるポリエチレンシートが貼られたものを用い、図３に示すように、壁体１３の内側面である支柱１４の内側間に硬質ポリウレタンフォームや合板などのボードが接するように掛け渡して（横架させて）設置し、第１の硬質ポリウレタンフォーム１８の１次収縮によって縁切り材１７の少なくとも底面以外が移動できるように固定せずに設置する。
【００３４】
こうして壁体１３の内側に縁切り材１７を設置した後、図１（ｂ）に示すように、縁切り材１７の離型用シートが貼られた面と地山１１との間に現場発泡で硬質ポリウレタンフォーム１８を１回に３０〜１５０ｍｍ程度の仕上り発泡厚さで層状に発泡成形し、これを数回繰り返して１日分の軽量盛土を、例えば０．５〜１．５ｍ発泡する。
【００３５】
このような現場発泡の第１の硬質ウレタンフォーム１８は、例えばポリオール成分に、ポリオール、触媒、減粘剤、難燃剤、発泡剤等が配合され、これとポリイソシアネート成分が混合されて発泡・硬化され、その密度を３０〜５０kg／m 3 、ＪＩＳ−Ｋ７２２０に準拠した１％歪時の圧縮強度を約５ N／cm2 以上とすることが好ましい。
【００３６】
また、ポリオールはエステル型とエーテル型があるが、耐久性、特に耐加水分解性の点からポリエーテルポリオールが好適に用いられる。ポリイソシアネート成分としては特に制限されないが、一般にはクルードＭＤＩ等の有機ジイソシアネートが用いられる。発泡剤としては、特に制限されないが、水を１００％使用し、フロンを併用しない方が環境対策上好ましい。
【００３７】
こうして１日分の硬質ポリウレタンフォーム１８を現場で発泡充填した後、１次収縮を生じさせるため、２４時間以上、好ましくは４８時間以上待つ。
【００３８】
２４時間未満では硬質ポリウレタンフォーム１８の１次収縮が進行中であり、さらなる収縮が起こるため、次の工程で壁体１３の変形等の問題が生じる恐れがある。
この後、図１（ｃ）に示すように、縁切り材１７を取り除く。
【００３９】
この場合、縁切り材１７には離型用シートが貼り付けてあるとともに、硬質ポリウレタンフォーム１８が１次収縮しているので、硬質ポリウレタンフォーム１８と接着せず、しかも壁体１３との間に収縮隙間が形成されることから簡単に取り除くことができ、この結果、１次収縮による収縮隙間と縁切り材１７の厚さ分とが加わった隙間２０が壁体１３と硬質ポリウレタンフォーム１８との間に形成される。
【００４０】
次に、図２（ａ）に示すように、１次収縮による収縮隙間と縁切り材１７の厚さ分とが加わった隙間２０に第２の硬質ポリウレタンフォーム１９を現場で発泡充填する。
【００４１】
この第２の硬質ポリウレタンフォーム１９は、第１の硬質ポリウレタンフォーム１８と全く同一の性状のもので良く、発泡充填に必要な隙間が形成されるので容易に発泡充填作業を行うことができるとともに、この第２の硬質ポリウレタンフォーム１９自体の１次収縮が生じてもその絶対量が小さく、壁体１３への影響を回避することができる。
【００４２】
このような第２の硬質ポリウレタンフォーム１９を壁体１３と第１の硬質ポリウレタンフォーム１８と間に発泡充填することで、壁体１３の変形や倒れを生じさせること無くこれらを接着一体化することができる。
【００４３】
こうして１日分の高さに相当する硬質ポリウレタンフォーム１８，１９の軽量盛土が完成した後、図２（ｂ）に示すように、同様の工程を繰り返し、最終的に図２（ｃ）に示すように、所定高さの硬質ポリウレタンフォーム１８，１９の軽量盛土を形成する。
【００４４】
このような軽量盛土の施工方法によれば、壁体１３の近くに縁切り材１７を設けて壁体１３と一旦縁を切って第１の硬質ポリウレタンフォーム１８を発泡し、この硬質ポリウレタンフォーム１８を１次収縮させた後に出来た隙間２０に第２の硬質ポリウレタンフォーム１９を充填して壁体１３と第１の硬質ポリウレタンフォーム１８とを一体化することができ、壁体１３が簡易で軽量な構造であっても壁体１３の変形や倒れを発生させずに強固に接着一体化した軽量盛土を施工することができる。
【００４５】
このようにして施工された硬質ポリウレタンフォーム１８，１９の軽量盛土には、図４に示すように、溶接鉄筋２１が入れられたコンクリート床版２２が形成され、路盤２３、表層２４などが形成されて道路の拡幅が完成する。
【００４６】
なお、上記実施の形態では、縁切り材を取り除いて１次収縮隙間とで形成される隙間に第２の硬質ポリウレタンフォームを発泡充填するようにしたが、１次収縮隙間が第２の硬質ポリウレタンフォームを発泡充填するのに十分な隙間と同等となる場合には、縁切り材を離型用シートだけで構成し、これを取り除いた隙間に第２の硬質ポリウレタンフォームを発泡充填するようにすれば良く、離型用シートで構成した縁切り材をそのまま埋設するようにしても良いが、この場合には、第１の硬質ポリウレタンフォームと第２の硬質ポリウレタンフォームとの間に離型用シートが介在するため互いを接着することができなくなる。
【００４７】
次に、この発明の軽量盛度の施工方法の他の一実施の形態について図５および図６により説明する。
この実施の形態では、縁切り材を取り除かずに埋設するようにしており、他の構成は既に説明した実施の形態と同一であるので、同一部分には同一記号を印し、重複する説明は省略する。
【００４８】
この軽量盛土の施工方法では、硬質ポリウレタンフォーム１８による現場発泡の体積が大きく（壁体に対する引っ張り方向の長さの長い）、１次収縮による収縮量が大きく、この１次収縮分だけで隙間２０を確保して第２の硬質ポリウレタンフォーム１９を充填することができる。
【００４９】
この施工方法では、縁切り材２７として工場または現場製作の硬質ポリウレタンフォームのボードや合板、またはダンボール等を用い、図３および図５（ａ）に示すように、壁体１３の支柱１４の内側に接するように横架して配置する。
【００５０】
そして、この縁切り材２７の内側と地山１１との間に、図５（ｂ）に示すように、現場発泡で硬質ポリウレタンフォーム１８を発泡充填し、複数層に別けて１日分の高さの発泡層を成形する。
【００５１】
この硬質ポリウレタンフォーム１８の発泡充填により縁切り材２７とは接着されるので、図５（ｃ）に示すように、１次収縮によって、壁体１３と縁切り材２７との間に隙間２０が形成されることになる。
【００５２】
そこで、図６（ａ）に示すように、この隙間２０に第２の硬質ポリウレタンフォーム１９を現場で発泡充填し、壁体１３と縁切り材２７との間を塞ぐとともに、両者を接着することで縁切り材２７に既に接着された第１の硬質ポリウレタンフォーム１８とも一体化する。
【００５３】
これにより、壁体１３と、第２の硬質ポリウレタンフォーム１９と、縁切り材２７と、第１の硬質ポリウレタンフォーム１８と、地山１１とが一体に接着されて軽量盛土が構築される。
【００５４】
こうして縁切り材２７が埋設された硬質ポリウレタンフォーム１８，１９の軽量盛土が完成した後、図６（ｂ）に示すように、同様の工程を繰り返し、最終的に図６（ｃ）に示すように、所定高さの縁切り材２７が埋設された硬質ポリウレタンフォーム１８，１９の軽量盛土を形成する。
【００５５】
なお、最上層の縁切り材２７の突出した上端縁は第２の硬質ポリウレタンフォーム１９の発泡充填後などに切断する。
【００５６】
このような軽量盛土の施工方法によれば、壁体１３の近くに縁切り材１７を設けて壁体１３と一旦縁を切って第１の硬質ポリウレタンフォーム１８を発泡し、この硬質ポリウレタンフォーム１８を１次収縮させた後に出来た隙間２０に第２の硬質ポリウレタンフォーム１９を充填して縁切り材２７を介して壁体１３と第１の硬質ポリウレタンフォーム１８とを一体化することができ、壁体１３が簡易で軽量な構造であっても壁体１３の変形や倒れを発生させずに強固に接着一体化した軽量盛土を施工することができる。
【００５７】
このようにして施工された縁切り材２７を埋設した硬質ポリウレタンフォーム１８，１９の軽量盛土には、図４に示すように、溶接鉄筋２１が入れられたコンクリート床版２２が形成され、路盤２３、表層２４などが形成されて道路の拡幅が完成する。
【００５８】
なお、この実施の形態では、縁切り材を埋設したまま１次収縮による隙間に第２の硬質ポリウレタンフォームを発泡充填するようにするので、縁切り材としては、硬質ポリウレタンフォームのボードを用いることが軽量盛土を均質化するのに好ましいが、合板やダンボールなど他の材質のものであっても良い。
【００５９】
また、縁切り材の厚さは、第２の硬質ポリウレタンフォームを発泡充填する隙間の大きさに関係ないので、任意に定めることができ、シート状の薄いものから、厚さ１５０ｍｍ程度の厚いブロック状のものまでどのような厚さであっても良い。
【００６０】
さらに、上記各実施の形態では、軽量盛土の一方のみが壁体で構成される場合で説明したが、これに限らず両方等である場合にも同様にこの施工方法を適用することができる。
【００６１】
【発明の効果】
以上、一実施の形態とともに具体的に説明したようにこの発明の請求項１記載の軽量盛土の施工方法によれば、壁体の内側面と硬質ポリウレタンフォームとの接着を防止する縁切り材を設け、この縁切り材内側と地山との間に第１の硬質ポリウレタンフォームを発泡充填したのち、この第１の硬質ポリウレタンフォームの１次収縮によって形成される収縮隙間を含む隙間に第２の硬質ポリウレタンフォームを発泡充填して前記第１の硬質ポリウレタンフォームと前記壁体の内側面とを接着一体化するようにしたので、硬質ポリウレタンフォームが接着しない縁切り材を壁体の内側面に接して設けたり、支柱間に横架したり、壁体の内側面の近くに設けて体積の大きい（壁体に対する引っ張り方向の長さの長い）第１の硬質ポリウレタンフォームの発泡充填を行うことで１次収縮の影響が壁体に及ばないようにでき、１次収縮によって形成された収縮隙間、あるいはこの収縮隙間に縁切り材を取り除くことで形成された隙間を加えた体積の極小さい（壁体に対する引っ張り方向の長さの極短い）隙間に第２の硬質ポリウレタンフォームを発泡充填して硬質ポリウレタンフォーム全体と壁体を接着一体化して構築することができ、水の浸入や強度低下などの問題をなくすことができる。
【００６２】
また、この発明の請求項２記載の軽量盛土の施工方法によれば、縁切り材の地山側表面に前記第１の硬質ポリウレタンフォームの接着を防止する離型用部材を設け、前記第１の硬質ポリウレタンフォームの１次収縮後に当該縁切り材を取り除いて前記第２の硬質ポリウレタンフォームを発泡充填するようにしたので、第１の硬質ポリウレタンフォームの１次収縮分と取り除いた縁切り材の厚さ分とで第２の硬質ポリウレタンフォームを発泡充填するのに必要な隙間を十分確保することができ、壁体と硬質ポリウレタンフォームとを一層確実に接着一体化することができる。
【００６３】
さらに、この発明の請求項３記載の軽量盛土の施工方法によれば、第１の硬質ポリウレタンフォームの１次収縮隙間の収縮量が、第２の硬質ポリウレタンフォームの発泡充填可能な隙間と同等であれば、前記縁切り材を埋設したまま第２の硬質ポリウレタンフォームを発泡充填するようにしたので、第１の硬質ポリウレタンフォームの体積の大きい（壁体に対する引っ張り方向の長さの長い）場合には、１次収縮量も大きく、これによって形成される収縮隙間だけに第２の硬質ポリウレタンフォームを直接発泡充填することができ、壁体と硬質ポリウレタンフォームとを確実に接着一体化でき、縁切り材を取り除かずに埋設したままとして一層容易に施工することができる。
【００６４】
また、この発明の請求項４記載の軽量盛土の施工方法によれば、前記壁体を壁材とこれを支持する支柱とで構成し、この壁材の内側面および／または支柱の内側面に前記縁切り材を設けるようにしたので、壁体が支柱とその外側の壁材で構成される場合には、両方の内側または支柱間に横架する（掛け渡す）ようにして内側に、壁体が支柱とその内側の壁材で構成される場合には、壁材の内側に、それぞれ縁切り材を設ければ、壁体を構成する壁材と支柱のいずれも硬質ポリウレタンフォームの１次収縮によって引っ張られることがなく、壁体の構造にかかわらず、軽量盛土を容易に構築することができる。
【図面の簡単な説明】
【図１】この発明の軽量盛土の施工方法の一実施の形態にかかる前半の３工程の説明図である。
【図２】この発明の軽量盛土の施工方法の一実施の形態にかかる後半の３工程の説明図である。
【図３】この発明の軽量盛土の施工方法の一実施の形態にかかる第１の工程での平面説明図である。
【図４】この発明の軽量盛土の施工方法により構築された軽量盛土を用いた拡幅道路の一部を切欠いて示す概略斜視図である。
【図５】この発明の軽量盛土の施工方法の他の一実施の形態にかかる前半の３工程の説明図である。
【図６】この発明の軽量盛土の施工方法の他の一実施の形態にかかる後半の３工程の説明図である。
【符号の説明】
１１  地山
１２  地盤
１３  壁体
１４  支柱
１５  壁材
１６  排水層
１７  縁切り材
１８  第１の硬質ポリウレタンフォーム
１９  第２の硬質ポリウレタンフォーム
２０  隙間
２１  溶接鉄筋
２２  コンクリート床盤
２３  路盤
２４  表層
２７  縁切り材
【図１】
0004523205.tif 000002
【図２】
0004523205.tif 000003
【図３】
0004523205.tif 000004
【図４】
0004523205.tif 000005
【図５】
0004523205.tif 000006
【図６】
0004523205.tif 000007